(57)【特許請求の範囲】
【請求項１】
雨水貯留浸透槽の組立体を複数個で形成する雨水貯留浸透槽用の構成部材であって、
先端部が開口部とされた筒状の側壁部と、
前記側壁部の基端部同士を連結する天板部と、
前記天板部の一部であって、前記側壁部の先端部を嵌入可能な溝部が形成された溝板部と、
前記側壁部の一部であって、前記溝部の長さ方向端部と前記側壁部との連結部から前記側壁部の前記先端部にかけて設けられた平面視で凹凸状の柱部と、
を有することを特徴とする雨水貯留浸透槽用の構成部材。
【請求項２】
前記柱部は、平面視での形状が角状の曲部を備えた形状であることを特徴とする請求項１記載の雨水貯留浸透槽用の構成部材。
【請求項３】
請求項１又は請求項２に記載の雨水貯留浸透槽用の構成部材が、互いに隣り合って複数個並設されると共に上下方向に積み重ねられ、下段に配置される前記構成部材の前記溝部に、上段に配置される前記構成部材の前記側壁部の先端部が嵌入されることを特徴とする雨水貯留浸透槽。
【請求項４】
下段に配置される前記構成部材の前記柱部の上方に、上段に配置される前記構成部材の前記柱部が配置されることを特徴とする請求項３記載の雨水貯留浸透槽。
【発明の詳細な説明】
【技術分野】
【０００１】
本発明は、雨水を貯留又は地中に浸透させる等のために用いられる雨水貯留浸透槽用の構成部材及び雨水貯留浸透槽に関する。
【背景技術】
【０００２】
地中に埋設される雨水貯留浸透槽においては、雨水の流入空間を確保するために、箱状部材が積み重ねられてフランジ状突出部で互いに連結固定されている（例えば、特許文献１参照）。このような箱状部材を積み重ねた組立体では、上下の各箱状部材のフランジ部の隅部に形成された結合突起と結合孔とを結合した状態としている。
【０００３】
この従来の雨水貯留浸透槽では、結合突起と結合孔とへ応力が集中し、構造上この応力集中部となるフランジ部を効率良く補強できず、水平荷重に対しては、結合突起と結合孔との結合部で支持するのみとなるので、十分な破壊強度が得られない。
【特許文献１】特公平４−２６６４８号公報
【発明の開示】
【発明が解決しようとする課題】
【０００４】
本発明は、上記事実を考慮して、水平荷重に対する破壊強度が高く、高応力作用部を効果的に補強できる雨水貯留浸透槽用の構成部材及び雨水貯留浸透槽を提供することを課題とする。
【課題を解決するための手段】
【０００５】
請求項１に記載する本発明の雨水貯留浸透槽用の構成部材は、雨水貯留浸透槽の組立体を複数個で形成する雨水貯留浸透槽用の構成部材であって、先端部が開口部とされた筒状の側壁部と、前記側壁部の基端部同士を連結する天板部と、前記天板部の一部であって、前記側壁部の先端部を嵌入可能な溝部が形成された溝板部と、前記側壁部の一部であって、前記溝部の長さ方向端部と前記側壁部との連結部から前記側壁部の前記先端部にかけて設けられた平面視で凹凸状の柱部と、を有することを特徴とする。
【０００６】
雨水貯留浸透槽とは、少なくとも雨水を貯留又は地中に浸透させる槽をいい、具体的には、雨水を貯留する貯留槽、雨水を一次的に貯留した後に徐々に地中に浸透させる浸透槽、及び、貯留槽の機能と浸透槽の機能とを併せ持つ貯留浸透槽のすべてを含む（以下の記載（他の請求項を含む）において同じ）。また、「平面視で凹凸状」とは、平面視で凹状又は凸状であることをいう。
【０００７】
請求項１に記載する本発明の雨水貯留浸透槽用の構成部材によれば、天板部における溝板部の溝部には、側壁部の先端部が嵌入可能となっているので、隣り合って配置させる構成部材を複数段積み重ねて連結する場合には、上段における構成部材の側壁部の先端部を下段における構成部材の溝部に嵌入することができる。このように嵌入して構成される雨水貯留浸透槽では、水平荷重に対して、溝部と側壁部の先端部とが面接触しながら支持することになるので、水平荷重に対する破壊強度が高くなる。また、高応力作用部となる溝部の長さ方向端部付近の荷重を柱部が支持することで、高応力作用部を効果的に補強できる。
【０００８】
請求項２に記載する本発明の雨水貯留浸透槽用の構成部材は、請求項１記載の構成において、前記柱部は、平面視での形状が角状の曲部を備えた形状であることを特徴とする。
【０００９】
請求項２に記載する本発明の雨水貯留浸透槽用の構成部材によれば、柱部は、平面視での形状が角状の曲部を備えた形状となっているので、鉛直荷重に対する破壊強度が高くなる。
【００１０】
請求項３に記載する本発明の雨水貯留浸透槽は、請求項１又は請求項２に記載の雨水貯留浸透槽用の構成部材が、互いに隣り合って複数個並設されると共に上下方向に積み重ねられ、下段に配置される前記構成部材の前記溝部に、上段に配置される前記構成部材の前記側壁部の先端部が嵌入されることを特徴とする。
【００１１】
請求項３に記載する本発明の雨水貯留浸透槽によれば、水平荷重に対して、下段側の溝部と上段側の側壁部の先端部とが面接触しながら支持することになるので、水平荷重に対する破壊強度が高くなる。また、高応力作用部となる溝部の長さ方向端部付近の荷重を柱部が支持することで、高応力作用部を効果的に補強できる。
【００１２】
請求項４に記載する本発明の雨水貯留浸透槽は、請求項３記載の構成において、下段に配置される前記構成部材の前記柱部の上方に、上段に配置される前記構成部材の前記柱部が配置されることを特徴とする。
【００１３】
請求項４に記載する本発明の雨水貯留浸透槽は、上段に配置される構成部材の柱部に作用する鉛直荷重を、下段に配置される構成部材の柱部が支持するので、鉛直荷重に対する破壊強度を高くすることができる。
【発明の効果】
【００１４】
以上説明したように、本発明の雨水貯留浸透槽用の構成部材及び雨水貯留浸透槽によれば、水平荷重に対する破壊強度が高く、高応力作用部を効果的に補強できるという優れた効果を有する。
【発明を実施するための最良の形態】
【００１５】
本発明における雨水貯留浸透槽用の構成部材及び雨水貯留浸透槽の実施形態を図面に基づき説明する。
（雨水貯留浸透槽用の構成部材及び雨水貯留浸透槽の構成）
図１に示されるように、雨水貯留浸透槽１０は、地中Ｇに埋設されるものであり、設置状態では、保護マット１２を介してゴム製の遮水シート１４上に載置されており、側面下部が遮水シート１４によって覆われると共に、側面上部及び上面が透水シート１５によって覆われる。また、側面には、導入管１６及び排水管１８が接続される。
【００１６】
地中Ｇの雨水貯留浸透槽１０は、導入管１６によって集水した雨水を下部で貯留する一方、上部では一次的に貯留した後に徐々に地中Ｇに浸透させて排出するようになっており、河川への急激な雨水流入を防いでいる。また、雨水貯留浸透槽１０が満水に近い状態になった場合には、排水管１８を介して上部から排水するようになっている。
【００１７】
雨水貯留浸透槽１０は、図２及び図５に示される雨水貯留浸透槽用の構成部材（以下、単に「構成部材」という）２０、４０による組立体であり、図９に示されるように、構成部材２０、４０が互いに隣接して複数個並設されると共に上下方向に積み重ねられながら連結されて形成される。
【００１８】
なお、図２に示される構成部材２０は、雨水貯留浸透槽１０の大部分を構成する標準サイズ（フルサイズ）であり、図５に示される構成部材４０は、雨水貯留浸透槽１０の側部に一部適用されるクオータサイズである。
【００１９】
図２及び図５に示される構成部材２０、４０の材料には、樹脂材料が適用でき、加水分解しないものがよい。具体的には、ポリプロピレン（ＰＰ）、ポリエチレン（ＰＥ）（特に高密度ポリエチレン（ＨＤＰＥ））等のポリオレフィン系樹脂が化学的な安定性、機械的な強度、及び価格の面から好ましい。ここで、樹脂のメルトフローレート（ＭＦＲ）（ＪＩＳ  Ｋ７２１０）は、加工性及び機械的な強度を考慮して１０（ｇ／１０分）〜１５（ｇ／１０分）のものがよい。また、これらに充填剤としてカーボンブラックを１〜３％加えて耐光性を高めてもよい。なお、設置場所が高温になる場所ではないため、酸化防止剤は加えなくてもよい。
【００２０】
構成部材２０、４０は、射出成形法によって中空の箱状に一体成形されている。構成部材２０、４０の厚さは、均一であり、製品１個当たりの重量及び機械的な強度等を考慮して２ｍｍ〜３ｍｍとするのが好ましい。
【００２１】
図２及び図３に示されるように、標準サイズの構成部材２０は、枠状、すなわち、略四角筒状の側壁部２２、２４、及び、側壁部２２、２４の基端部２２Ａ、２４Ａ同士を連結する天板部２６を有する。側壁部２２、２４は、天板部２６の各短縁部２８（平面視で長手方向に略直角な方向を構成する外周縁部（湾曲部２７を含む））に繋がって互いに対向する短縁部２８側の側壁部２２と、天板部２６の各長縁部２９（平面視で長手方向を構成する外周縁部）に繋がって互いに対向する長縁部２９側の側壁部２４とを備える。
【００２２】
平面図である図３に示されるように、短縁部２８側の側壁部２２と長縁部２９側の側壁部２４とは、平面視で互いに略直角になっており、下側から見た斜視図である図４に示されるように、側壁部２２、２４の先端部としての側壁先端部２２Ｂ、２４Ｂが開口部２５とされる。この開口部２５の形状は、線対称形状としての略矩形状とされ、本実施形態では、長手直角方向の寸法（直線距離）が５００ｍｍ、長手方向の寸法が１０００ｍｍ、すなわち、縦横比が１：２の略長方形となっている。なお、図２に示される構成部材２０の高さ寸法は、５００ｍｍとされる。構成部材２０を以上のようなサイズの形状とすることで、施工時における作業効率を良好にすることができる。
【００２３】
また、図２に示されるように、側壁先端部２２Ｂ、２４Ｂは、外向きにＪ字状に湾曲成形されている。このようにすることで、側壁部２２、２４の成形ひずみを抑えると共に、側壁部２２、２４の強度を補強している。なお、雨水貯留浸透槽１０（図１参照）の設置時において、構成部材２０は、側壁先端部２２Ｂ、２４Ｂ側が下側となるように配置される。
【００２４】
側壁部２２、２４は、天板部２６に向かって僅かに寸法が小さくなる傾斜状とされており、側壁部２２、２４の外周面の下部には、上下方向に延びるリブ２３が複数（本実施形態では、短縁部２８側の側壁部２２に２個、長縁部２９側の側壁部２４に６個）形成されている。
【００２５】
図２及び図３に示されるように、側壁部２２、２４の基端部２２Ａ、２４Ａ同士を連結する天板部２６は、平面視での形状が線対称形状としての略矩形状とされ、本実施形態では、縦横比が１：２の略長方形となっている。
【００２６】
天板部２６は、構成部材２０の配置時に水平な上面を形成する複数（本実施形態では８個）の頂部３０Ａを備え、これら頂部３０Ａは、雨水貯留浸透槽１０（図１参照）の施工時には作業用足場を兼ねる。各頂部３０Ａには、雨水流通孔として複数（本実施形態では４個ずつ）の貫通孔３８が貫通形成されており、構成部材２０の設置時には雨水を流通させるための流通部とされる。
【００２７】
構成部材２０の設置時に上方側へ向けられる天板部２６の一部として、第１溝板部２６Ａ及び第２溝板部２６Ｂが設けられている。図３に示されるように、第１溝板部２６Ａに形成される第１溝部３１は、中心線３１Ｌによって天板部２６の短縁部２８を二等分して長縁部２９に略平行な方向に延びており、第２溝板部２６Ｂに形成される計３本の第２溝部３２は、各中心線３２Ｌによって天板部２６の長縁部２９を四等分して短縁部２８に略平行な方向に延びる。すなわち、第１溝部３１の中心線３１Ｌと第２溝部３２の各中心線３２Ｌとは、互いに直交する方向へ延びて互いに交わっている。
【００２８】
これらの第１、第２溝部３１、３２は、図４に示される側壁先端部２２Ｂ、２４Ｂを２枚嵌入可能な幅となっており、上段に隣接して配置される構成部材２０の連結用とされる。図２に示されるように、第１、第２溝部３１、３２の溝底面３０Ｂは、頂部３０Ａと段差によって区画され、構成部材２０の配置時に上方に向いた水平面を形成する。
【００２９】
図２及び図３に示されるように、第２溝部３２の長さ方向端部（第２溝部３２の長さ方向を矢印Ｘ方向で示す）と側壁部２４との連結部３４から側壁部２４の側壁先端部２４Ｂにかけて柱部３６が設けられている。柱部３６は、側壁部２４の一部を構成して、平面視で凹凸状（本実施形態では、側壁部２４の内向きに凹む凹状）とされ、連結部３４の中央部を挟んで両側に形成されている。
【００３０】
柱部３６は、図３に示されるように、平面視での形状が角状の曲部３６Ａを備えた略コ字形状となっており、図２に示されるように、上下方向に複数の直線状の稜線が延びた状態とされる。図４に示されるように、柱部３６は、側壁先端部２４Ｂ側では底板部３７によって連結されている。なお、この底板部３７が設けられることで、成形時における柱部３６の曲がりを防ぐことができる。
【００３１】
図２及び図３に示されるように、天板部２６の外面（構成部材２０の設置時に上方側へ向けられる面）には、第２溝部３２の側壁部２４寄り側、及び、第２溝部３２と第１溝部３１との交差部（天板部２６の中央の交差部を除く）に、平面視で略直角状に切り欠かれた切欠部３５がそれぞれ形成されている。これにより、切欠部３５は、平面視にて規則性のあるパターンとなっている。
【００３２】
構成部材２０を積み重ね連結した状態（下段の構成部材２０の第１、第２溝部３１、３２に上段の構成部材２０の側壁先端部２２Ｂ、２４Ｂが嵌入された状態）では、第１、第２溝部３１、３２における切欠部３５の内側に、上段の構成部材２０の底板部３７が配置されるようになっている（図６参照）。
【００３３】
図３に示されるように、平面視において、第１、第２溝部３１、３２、切欠部３５、及び、柱部３６は、両短縁部２８を二等分する二等分位置同士を結ぶ線（本実施形態では、中心線３１Ｌと重なる線）に対して線対称とされると共に、両長縁部２９を二等分する二等分位置同士を結ぶ線（本実施形態では、３本の中心線３２Ｌのうちの真中の中心線３２Ｌと重なる線）に対しても線対称とされる。
【００３４】
なお、天板部２６の内面（構成部材２０の設置時に下方側へ向けられる面）には、図４に示されるような板状の補強リブ３９が縦横に設けられている。また、図２に示されるように、側壁部２２、２４では、鉛直荷重に対する強度に影響が少ない部分に点検孔としての窓部２２Ｗ、２４Ｗが貫通形成されている。これらの窓部２２Ｗ、２４Ｗから雨水貯留浸透槽１０（図１参照）内の状態（土砂による目詰まりの有無等）を目視で点検することができるようになっている。
【００３５】
図５に示されるクオータサイズの構成部材４０は、高さ（図５の上下方向の寸法）が図２に示される標準サイズの構成部材２０と等しく、縦寸法及び横寸法は、いずれも標準サイズの構成部材２０の約１／２のサイズである。第１溝部３１に対応する溝部はなく、第２溝部３２に対応する溝部は、補助溝部４２が１本あるのみである。その他の構成については、標準サイズの構成部材２０とほぼ同様の構成であるので、同様の構成部については、同一符号を付して説明を省略する。
【００３６】
（雨水貯留浸透槽の形成手順及び作用）
次に、複数個の構成部材２０、４０（図２及び図５参照）を互いに隣接して複数個並設させると共に上下方向に積み重ね、雨水貯留浸透槽１０（図１参照）を形成する手順、及び、上記実施形態の作用について、図６〜図１０を参照しながら説明する。なお、図７〜図１０では、雨水貯留浸透槽１０（図１参照）の設置場所のコーナー付近に配置される構成部材２０、４０（図２及び図５参照）のみを図示し、他の図示を省略する。
【００３７】
まず、図７に示されるように、保護マット１２上に、複数個の構成部材２０を同じ向きに向けて（構成部材２０の長手方向が同一方向になるように）並設させる。これらの構成部材２０は、雨水貯留浸透槽１０（図１参照）を形成するために積み重ねられる構成部材２０の第１段（最下段）となる。
【００３８】
次に、図８に示されるように、第１段（最下段）に配置される構成部材２０に対して長手方向の向きを９０°変えて第２段（上段）となる構成部材２０を積み重ねる。ここで、図１０には、第１段（最下段）における構成部材２０の配置（図中の切欠よりも左上部分）、及び、第２段（上段）における構成部材２０の配置（図中の切欠よりも右下部分）が模式的に示されている。図１０に示されるように、本実施形態では、第２段（上段）に配置される構成部材２０が、第１段（最下段）に配置される３個又は６個の構成部材２０に跨るように積み重ねられて配置される。
【００３９】
このとき、図７に示される第１段（最下段）に配置される構成部材２０の第１、第２溝部３１、３２に、図８に示される第２段（上段）に配置されて互いに隣接する構成部材２０の側壁先端部２２Ｂ、２４Ｂ（図２参照）が２枚嵌入される。また、図６に示されるように、第１段（最下段）に配置される構成部材２０における第２溝部３２の切欠部３５（図２及び図７参照）内側に、第２段（上段）の構成部材２０の柱部３６の下部及び底板部３７が配置される。
【００４０】
これにより、第１段（最下段）に配置される構成部材２０の柱部３６（図２参照）の上方に、第２段（上段）に配置される構成部材２０の柱部３６（図２参照）が配置されることになる。このため、第２段（上段）に配置される構成部材２０の柱部３６（図２参照）に作用する鉛直荷重を、第１段（最下段）に配置される構成部材２０の柱部３６（図２参照）が支持するので、鉛直荷重に対する破壊強度を高くすることができる。
【００４１】
標準サイズの構成部材２０を本実施形態のように積み重ねた場合、図８に示される第２段（上段）には、第１段（最下段）で雨水貯留浸透槽１０（図１参照）の側部を構成する構成部材２０の上方に、細長の積み残し部分が発生するので、図９に示されるように、この部分にクオータサイズの構成部材４０を配置する。
【００４２】
このとき、クオータサイズの構成部材４０は、側壁先端部２２Ｂ、２４Ｂ（図５参照）が図８に示される第１段（最下段）に配置される構成部材２０の第１、第２溝部３１、３２に嵌入されると共に、構成部材４０の柱部３６の下部及び底板部３７が第１段（最下段）に配置される構成部材２０における第２溝部３２の切欠部３５の内側に配置される。
【００４３】
次に、図９に示される第２段（下段）に配置される標準サイズの構成部材２０に対して、長手方向の向きを９０°変えて第３段（上段）となる標準サイズの構成部材２０を積み重ねる（図示省略）。第３段となる構成部材２０の配置向きは、第１段に配置された構成部材２０の配置向きと同様とされ、第１段に配置された構成部材２０と、第３段に配置される構成部材２０とは、平面視では同様の配置となる。
【００４４】
ここで、第３段（上段）で雨水貯留浸透槽１０（図１参照）の側部を構成する構成部材２０は、第２段（下段）に配置された標準サイズの構成部材２０（図１０参照）及びクオータサイズの構成部材４０に跨るように積み重ねられることになる。
【００４５】
以下同様に、奇数段に配置される標準サイズの構成部材２０と偶数段に配置される標準サイズの構成部材２０とが、交互に長手方向の向きを９０°変えて積み重ねられ、偶数段に一部クオータサイズの構成部材４０を配置することで、雨水貯留浸透槽１０（図１参照）が形成される。
【００４６】
このように複数個の構成部材２０、４０が組み立てられて形成される雨水貯留浸透槽１０（図１参照）では、水平荷重に対して、図２及び図５に示される第１、第２溝部３１、３２、補助溝部４２と、側壁先端部２２Ｂ、２４Ｂと、が広範囲で面接触しながら支持すると共に、柱部３６の下部及び底板部３７が切欠部３５に面接触しながら支持されることになるので、水平荷重に対する破壊強度が高くなる。
【００４７】
また、図１０に示されるように、上段に配置される構成部材２０が、下段に配置される３個又は６個の構成部材に跨るように積み重ねられるので、構成部材２０同士を互いに強く拘束させることができる。
【００４８】
さらに、図８及び図９に示されるように、枠状（四角筒状）の側壁部２２、２４の側壁先端部２２Ｂ、２４Ｂ（図２及び図５参照）を第１、第２溝部３１、３２、補助溝部４２に嵌入させる構成としたことで、従来技術のようにピンポイントで位置合わせをする必要がなくなるので、構成部材２０、４０の積み重ね結合が容易になる。また、前記のように嵌入させる構成とすることで、嵌入によって構成部材２０、４０の位置決めがなされるので、構成部材２０、４０間の相対的な位置ずれを防ぐことができ、積み重ね結合が多数段に及んでも、構成部材２０、４０の積み重ね結合の作業性を良好に維持することができる。
【００４９】
さらにまた、構成部材２０、４０を積み重ねた状態で、第２溝部３２の長さ方向端部付近の荷重、及び、補助溝部４２の長さ方向端部付近の荷重を、柱部３６が支持することで、高応力作用部を効果的に補強できる。
【００５０】
（実施形態の変形例等）
なお、上記の実施形態では、図２及び図３に示されるように、柱部３６が平面視で凹状（側壁部２４の内向きに凹む凹状）とされているが、柱部は、平面視で凸状（側壁部２４の外向きに凸状）とされてもよい。
【００５１】
また、上記実施形態では、柱部３６は、平面視での形状が角状の曲部３６Ａを備えた略コ字形状とされるが、柱部は、平面視での形状が角状の曲部を備えた略Ｖ字形状等のような他の形状であってもよい。この場合、柱部における上下方向へ延びる稜線は、何本であってもよい。さらに、柱部は、平面視での形状が角状の曲部を備えた形状であることが好ましいが、円弧状等の曲線状とされてもよい。
【００５２】
また、上記実施形態では、雨水貯留浸透槽１０は、構成部材２０、４０が互いに隣接して複数個並設されると共に上下方向に積み重ねられながら連結されて形成されているが、構成部材同士が若干離れた状態で互いに隣り合って複数個並設されると共に上下方向に積み重ねられながら連結されて形成される構成としてもよい。このとき、溝部には、側壁部の先端部が１枚嵌入される構成となる。ここで、構成部材を箱状でなく、例えば、有底円筒状又は有底円筒テーパ状等の他の容器形状としてもよく、これらの構成部材における側壁部の先端部（例えば、円筒状側壁部における周方向の一部（円弧部）の先端部）を溝部に１枚嵌入させてもよい。
【００５３】
さらに、上記実施形態では、天板部２６の平面視での形状及び開口部２５の形状が、縦横比１：２の略長方形とされているが、他の縦横比の略長方形、又は、ハニカム形状を含む正多角形（正六角形、正八角形等）等のような他の線対称多角形等としてもよく、その天板部に複数本設けた溝部の各中心線が天板部のいずれかの辺に平行な方向に延びて互いに交わるようにしてもよい。
【００５４】
さらにまた、上記実施形態では、図３に示されるように、天板部２６において、第１溝部３１が、中心線３１Ｌによって天板部２６の短縁部２８を二等分して長縁部２９に略平行な方向に延びており、３本設けられる第２溝部３２が、各中心線によって天板部２６の長縁部２９を四等分して短縁部２８に略平行な方向に延びているが、天板部に設けられる溝部の本数は、これに限定されず、例えば、各中心線によって天板部の短縁部を四等分して長縁部に略平行な方向に延びる３本の溝部と、各中心線によって天板部の長縁部を八等分して短縁部に略平行な方向に延びる７本の溝部と、を設ける構成等のように、他の本数としてもよい。この場合にも、各溝部に対応して柱部を形成するのがよい。
【００５５】
なお、上記実施形態と同様の構成部材２０、４０を用いて上記実施形態とは異なる積み重ね構造を適用してもよい。
【００５６】
また、上記実施形態では、図１に示されるように、雨水貯留浸透槽１０の下部が遮水シート１４上によって覆われ、上部が透水シート１５によって覆われており、下部で貯留機能を果たし、上部で浸透機能を果たす場合について説明したが、雨水貯留浸透槽１０の全体を遮水シート１４で覆って貯留槽としたり、雨水貯留浸透槽１０の全体を透水シート１５で覆って浸透槽としたりしてもよい。
【図面の簡単な説明】
【００５７】
【図１】本発明の実施形態に係る雨水貯留浸透槽を地中に埋設した状態を示す概略断面図である。
【図２】本発明の実施形態に係る雨水貯留浸透槽用の構成部材（標準サイズ）を示す斜視図である。
【図３】本発明の実施形態に係る雨水貯留浸透槽用の構成部材（標準サイズ）を示す平面図である。
【図４】本発明の実施形態に係る雨水貯留浸透槽用の構成部材（標準サイズ）を下側から見た状態で示す斜視図である。
【図５】本発明の実施形態に係る雨水貯留浸透槽用の構成部材（クオータサイズ）を示す斜視図である。
【図６】本発明の実施形態に係る雨水貯留浸透槽用の構成部材（標準サイズ）の積み重ね状態を示す斜視図である。
【図７】本発明の実施形態に係る雨水貯留浸透槽用の構成部材を保護マット上に複数個並設させた状態を示す斜視図である。
【図８】本発明の実施形態に係る雨水貯留浸透槽用の構成部材（標準サイズ）を第１段に配置される構成部材の上に積み重ねた状態を示す斜視図である。
【図９】本発明の実施形態に係る雨水貯留浸透槽用の構成部材（クオータサイズ）を第１段に配置される構成部材の上に積み重ねた状態を示す斜視図である。
【図１０】本発明の実施形態に係る雨水貯留浸透槽用の構成部材の配置を模式的に示した平面図である。（図中の切欠よりも左上部分は、第１段の構成部材を示し、図中の切欠よりも右下部分は、下から第２段の構成部材を示す。）
【符号の説明】
【００５８】
１０    雨水貯留浸透槽
２０    構成部材（雨水貯留浸透槽用の構成部材）
２２    側壁部
２２Ａ  基端部
２２Ｂ  側壁先端部（先端部）
２４    側壁部
２４Ａ  基端部
２４Ｂ  側壁先端部（先端部）
２５    開口部
２６    天板部
２６Ａ  第１溝板部
２６Ｂ  第２溝板部
３１    第１溝部（溝部）
３２    第２溝部（溝部）
３４    連結部
３６    柱部
３６Ａ  曲部
４０    構成部材（雨水貯留浸透槽用の構成部材）
【図１】
0004800855.tif 000002
【図２】
0004800855.tif 000003
【図３】
0004800855.tif 000004
【図４】
0004800855.tif 000005
【図５】
0004800855.tif 000006
【図６】
0004800855.tif 000007
【図７】
0004800855.tif 000008
【図８】
0004800855.tif 000009
【図９】
0004800855.tif 000010
【図１０】
0004800855.tif 000011